(57)【要約】【課題】梯子が雨樋を損傷すること及び梯子上部の横ずれを防止することができるとともに、梯子から屋根への昇り降りをより安定化させることでより安全にし、極めて短時間で梯子に装着することが可能な梯子補助具を提供することを目的とする。【解決手段】断面がＬ字形状のＬ金具２と、Ｌ金具２の第１の面２ａに垂直に設置された挿入棒３と、挿入棒３が設置された第１の面２ａの裏側に、該第１の面２ａと所定角度θを保持して設置された立脚棒１と、Ｌ金具２の第２の面２ｂに固定ナット６と共に設置されたボルト５と、挿入棒３とＬ金具２の第２の面２ｂの間に設置された当て板４と、を有することを特徴とする梯子補助具。【選択図】図１
0003195482.tif 000002
【実用新案登録請求の範囲】
【請求項１】
断面がＬ字形状のＬ金具と、
前記Ｌ金具の第１の面に垂直に設置された挿入棒と、
前記挿入棒が設置された第１の面の裏側に、該第１の面と所定角度を保持して設置された立脚棒と、
前記Ｌ金具の第２の面に固定ナットと共に設置されたボルトと、
前記挿入棒と前記Ｌ金具の前記第２の面の間に設置された当て板と、
を有することを特徴とする梯子補助具。
【請求項２】
前記当て板は、前記Ｌ金具の第２の面に変位可能に保持手段により保持されていることを特徴とする請求項１記載の梯子補助具。
【請求項３】
前記立脚棒の先端部に設置されたキャップを更に有することを特徴とする請求項１または２に記載の梯子補助具。
【請求項４】
前記ボルトは、蝶ボルトであることを特徴とする請求項１乃至３のいずれか１項に記載の梯子補助具。
【考案の詳細な説明】
【技術分野】
【０００１】
本考案は、屋根やその軒先の樋の補修作業などに用いる梯子補助具に関する。
【背景技術】
【０００２】
梯子は、一般に、図４（ａ）に示したように左右一対の側脚５０ａの間に足を掛ける踏棒５０ｂを上下方向に所定のピッチで横に掛け渡した構造を有している。この梯子を用いて、屋根６０やその軒先の雨樋６１の補修作業を行う場合には、梯子５０を屋根６０の軒先と地上との間に斜めに立て掛ける。そして、作業者が、その梯子５０の踏棒５０ｂに足を掛けて、屋根６０やその軒先近くに登り、屋根６０や雨樋６１の補修作業を行う。
【０００３】
ところで、雨樋６１は、その胴部を軒先の先方に突出させた状態で、軒先に設置されている。そのため、上記のように梯子５０を屋根６０の軒先と地上との間に斜めに立て掛けた場合には、梯子５０の上部が軒先から突出した雨樋６１の胴部を押しつぶして、その雨樋６１を損ねてしまうことがあった。また、梯子５０の左右の側脚５０ａ間の距離は、３５ｃｍ程度しかなく、梯子５０の長さに対してその横幅が狭いために、梯子５０を屋根６０の軒先と地上との間に斜めに立て掛けた場合に、梯子５０が横に倒れてしまうという課題もあった。なお、両側の側脚５０ａの踏棒５０ｂの設置位置には、図示したように穴５０ｃが形成されている。
【０００４】
そこで、例えば特許文献１には、梯子上部と屋根の軒先との間に空間をあけた状態で、梯子を屋根上面と地上との間に斜めに立て掛けることができ、梯子の上部が軒先に設置された雨樋の胴部を押しつぶすのを防ぐことができる梯子に関する技術が開示されている。図４（ｂ）に、特許文献１の梯子５０の使用状態を示す。この図から分かるように、特許文献１の梯子５０は、梯子５０の上端部の近傍に横棒２０ａ，２０ｂを有しており、更に横棒２０ａ，２０ｂに直交するように縦棒７０が設置されている。梯子５０は、縦棒７０の先端部が屋根６０に当接するように設置される。このような設置状態では、軒先の雨樋６１と梯子５０の側脚５０ａが接触することがないため、雨樋６１を損傷することはない。
【先行技術文献】
【特許文献】
【０００５】
【特許文献１】特開平１１−３０３５５４号公報
【考案の概要】
【考案が解決しようとする課題】
【０００６】
しかし、特許文献１の梯子５０は、横棒２０ａ、２０ｂを側脚５０ａに設置した上で縦棒７０を更に設置しなければならず、その構造が複雑であり、また組み立てるのに時間がかかるという課題があった。
【０００７】
本考案は、上記課題を解決するためになされたものであり、梯子が雨樋を損傷すること及び梯子上部の横ずれを防止することができるとともに、梯子から屋根への昇り降りをより安定化させることでより安全にし、極めて短時間で梯子に装着することが可能な梯子補助具を提供することを目的とする。
【課題を解決するための手段】
【０００８】
本考案は上記の目的を達成するため、以下の構成を備えるものである。
【０００９】
（１）断面がＬ字形状のＬ金具と、
前記Ｌ金具の第１の面に垂直に設置された挿入棒と、
前記挿入棒が設置された第１の面の裏側に、該第１の面と所定角度を保持して設置された立脚棒と、
前記Ｌ金具の第２の面に固定ナットと共に設置されたボルトと、
前記挿入棒と前記Ｌ金具の前記第２の面の間に設置された当て板と、
を有することを特徴とする梯子補助具。
【００１０】
（２）前記当て板は、前記Ｌ金具の第２の面に変位可能に保持手段により保持されていることを特徴とする前記（１）記載の梯子補助具。
【００１１】
（３）前記立脚棒の先端部に設置されたキャップを更に有することを特徴とする前記（１）または（２）に記載の梯子補助具。
【００１２】
（４）前記ボルトは、蝶ボルトであることを特徴とする前記（１）乃至（３）のいずれか１項に記載の梯子補助具。
【考案の効果】
【００１３】
本考案によれば、梯子が雨樋を損傷すること及び梯子上部の横ずれを防止することができるとともに、梯子から屋根への昇り降りをより安定化させることでより安全にし、極めて短時間で梯子に装着することが可能な梯子補助具を提供することができる。
【図面の簡単な説明】
【００１４】
【図１】実施例の梯子補助具の構成を示す図
【図２】実施例の梯子補助具を梯子に装着する状態を示す図
【図３】実施例の梯子補助具が装着された梯子の設置状態を示す図
【図４】従来の梯子の設置状態及び他の従来の梯子を示す図
【考案を実施するための形態】
【００１５】
以下、本考案を実施するための形態を、実施例により詳しく説明する。
【実施例】
【００１６】
図１は、本考案の梯子補助具１０の構成を示す図であり、図１（ａ）は梯子補助具１０の正面図、図１（ｂ）は右側面図である。本考案の梯子補助具１０は、立脚棒１、Ｌ金具２及び挿入棒３を基本構成品としている。立脚棒１は、図１（ｂ）に示したように所定角度θを保持してＬ金具２の第１の面２ａの裏側に溶接等により連結、固定されている。この角度θの値は、屋根６０の高さ、梯子５０の長さ等を考慮して決定される。挿入棒３は、Ｌ金具２の第１の面２ａの表側の略中央において、Ｌ金具２の第１の面２ａに垂直に設置されている。挿入棒３とＬ金具２は、一般的には溶接によって連結される。充分な強度を確保するためである。また、立脚棒１の端部には図示したようにゴムや樹脂で作製されたキャップ８が嵌め込まれている。後述するが、立脚棒１の端部が屋根６０に当接するからであり、屋根６０の表面を損傷させないためである。
【００１７】
Ｌ金具２の第２の面２ｂの図に示した位置には、固定ナット６が設置されており、蝶ボルト５がねじ込まれている。また、当て板４が２個の保持棒７によってＬ金具２に変位可能に連結されている。２個の保持棒７の先端は当て板４に固定されており、Ｌ金具２には保持棒７が挿入される穴が２個形成されている。なお、蝶ボルト５のネジ部の先端は当て板４に当接するが、当て板４には連結されていない。本考案の梯子補助具１０の使用者は、蝶ボルト５を回すことによって図１（ａ）に示した距離Ｌを変えることができ、その結果挿入棒３と当て板４の隙間の距離Ａを変えることができる。図１（ｃ）は蝶ボルト５を充分に回転させて距離Ｌを無くした状態であり、梯子補助具１０を使用しない場合には、この状態にしておく。
【００１８】
次に、本考案の梯子補助具１０の梯子５０への設置手順について説明する。図２（ａ）は、２個の梯子補助具１０を梯子５０に設置する前の状態を示し、図２（ｂ）は設置後の状態を示す。まず、２個の梯子補助具１０の設置前の状態を説明する。設置前においては、蝶ボルト５を緩めて図１（ａ）で示したＡの寸法を大きくしておく。そして、梯子補助具１０の挿入棒３を梯子５０の側面の穴５０ｃに挿入する。この際、梯子５０の側脚５０ａの下側の立ち上がり部を挿入棒３と当て板４の隙間に入れる。左右の２個の梯子補助具１０を両側から同様に装着する。次に、図２（ｂ）に示したように蝶ボルト５を回転させて固定ナット６にねじ込んで梯子補助具１０の当て板４を梯子５０の下側の立ち上がり部に押し付ける。このように左右の梯子補助具１０を梯子５０に設置することで、梯子５０の端部に２個の立脚棒１を付加することができる。この２個の立脚棒１は左右に少し開いた状態で梯子５０に設置されている。
【００１９】
上記したように、本考案の梯子補助具１０はその構造が極めて簡単であり、かつ挿入棒３を梯子５０の穴５０ｃに挿入した後、蝶ボルト５を締めつけるだけで簡単に設置することができる。また、梯子５０とは別に梯子補助具１０を運搬することができる。
【００２０】
図３は、本考案の梯子補助具１０を取付けた梯子５０を、屋根６０に実際に設置した状態を示す図である。図から分かるように、梯子補助具１０の立脚棒１が左右に開いた状態で屋根６０に当接しており、梯子５０の下側が不安定でも梯子５０を安定して屋根６０に設置することができ、作業者の安全を充分に確保することができる。また、荷物を持つ作業者が屋根６０から降りる場合でも、作業者は安心して梯子５０を降りることができる。そして、梯子５０の上側の端部を屋根６０から所定距離だけ離すことができるため、軒下の雨樋６１を抑えつけて雨樋６１を損傷することもない。更に、従来の梯子５０のみの場合のように、梯子５０が屋根６０の縁を滑って倒れてしまうということもない。
【００２１】
本考案によれば、梯子が雨樋を損傷すること及び梯子上部の横ずれを防止することができるとともに、梯子から屋根への昇り降りをより安定化させることでより安全にし、極めて短時間で梯子に装着することが可能な梯子補助具を提供することができる。
【符号の説明】
【００２２】
１      立脚棒
２      Ｌ金具
２ａ    第１の面
２ｂ    第２の面
３      挿入棒
４      当て板
５      蝶ボルト
６      固定ナット
７      保持棒
８      キャップ
１０    梯子補助具
５０    梯子
５０ａ  側脚
５０ｂ  踏棒
５０ｃ  穴
６０    屋根
６１    雨樋
【図１】
0003195482.tif 000003
【図２】
0003195482.tif 000004
【図３】
0003195482.tif 000005
【図４】
0003195482.tif 000006